(57)【要約】本発明は骨盤を楽で、且つ堅固に支持し、また取れたり下がることなく所定の牽引強度を維持することができ、また、これを通じて力の分散を防止して、牽引力を腰椎部位に集中させて治療効果を極大化し、頚椎の牽引を通じて、患者の矯正または治療を目的に用いられるもので、患者の頭部分を圧迫したり不完全性を与えない物理治療機器用骨盤支持構造及び頚椎牽引用頭固定装置に関する。本発明の骨盤支持構造は、フレーム（１）の上部に前後に移動可能に設置されるベッドプレート（２）と、ベッドプレード（２）の上部に付着されて腰椎部位を支える骨盤ベッド（３）とが備えられた物理治療機器において、ベッドプレート（２）の前方両側に左右に回転可能に軸（Ｈ１）でそれぞれ連結されるブラケット（１０）と、ブラケット（１０）の上部に左右に回転可能に軸（Ｈ２）でそれぞれ連結されて、骨盤を囲んで湾曲状に形成された骨盤支持具（２０）と、骨盤支持具（２０）の内面にそれぞれ配置されて、骨盤に密着される骨盤クッション（３０）と、骨盤支持具（２０）と骨盤クッション（３０）の上部にバンド（４１）（５１）を通じてそれぞれ連結されてワンタッチで着脱可能に結合される雌雄バックル（４０）（５０）とを含む。【選択図】図１
2013529495.tif 000002
【特許請求の範囲】
【請求項１】
フレーム（１）の上部に前後に移動可能に設置されるベッドプレート（２）と、  ベッドプレード（２）の上部に付着されて、腰椎部位を支える骨盤ベッド（３）とが備えられた物理治療機器において、
前記ベッドプレート（２）の前方両側に左右に回転可能に軸（Ｈ１）でそれぞれ連結されるブラケット（１０）と、
前記ブラケット（１０）の上部に左右に回転可能に軸（Ｈ２）でそれぞれ連結されて骨盤を囲む湾曲状に形成された骨盤支持具（２０）と、
前記骨盤支持具（２０）の内面にそれぞれ配置されて骨盤に密着される骨盤クッション（３０）と、
前記骨盤支持具（２０）と骨盤クッション（３０）の上部にバンド（４１）（５１）を通じてそれぞれ連結されて、ワンタッチで着脱可能に結合される雌雄バックル（４０）（５０）とを含む物理治療機器用骨盤支持構造。
【請求項２】
前記ベッドプレート（２）の前方両側下部には支持片（２ａ）がそれぞれ備えられ、前記ブラケット（１０）の下部には支持片（２ａ）側に延長される連結片（１１）が水平に折曲形成され、前記連結片（１１）の端部にはベッドプレート（２）の支持片（２ａ）に左右に回転可能に軸（Ｈ３）で連結される補強片（１２）が垂直に折曲形成されることを特徴とする請求項１に記載の物理治療機器用骨盤支持構造。
【請求項３】
前記骨盤支持具（２０）の中央部の一側には外部と連通する傾斜挿入孔（２１ａ）を有する垂直長孔（２１）が備えられ、前記骨盤支持具（２０）の上部と下部には外部と連通する傾斜挿入孔（２２ａ）（２３ａ）を有する水平長孔（２２）（２３）がそれぞれ形成され、前記骨盤クッション（３０）の外面中央部と下部には傾斜挿入孔（２１ａ）（２３ａ）を通じて垂直長孔（２１）及び水平長孔（２３）にそれぞれ挿入される連結部（３１）（３２）がそれぞれ付着され、前記バンド（４１）の一端には傾斜挿入孔（２２ａ）を通じて水平長孔（２２）に挿入される連結部（４１ａ）が備えられ、前記バンド（５１）の一端は骨盤クッション（３０）の外面に縫製で付着されることを特徴とする請求項１に記載の物理治療機器用骨盤支持構造。
【請求項４】
前記骨盤支持具（２０）は金属で構成されることを特徴とする請求項１に記載の物理治療機器用骨盤支持構造。
【請求項５】
頚椎牽引用頭固定装置において、
頭を固定及び引く時固定するための頭支持部（２００）は、治療を受ける人の頭を支えるように支持板（１００）と、
頭を支えて上部を開閉するように形成したり開閉された上部を通じて首を支えて固定するための首固定部（２３０）と、
前記首固定部（２３０）の外郭に顎を固定するために構成した左側顎支持部（２５０）及び右側顎支持部（２６０）と、
前記左側顎支持部（２５０）及び右側顎支持部（２６０）を間隔調節スクリュー（２７０）に連結して、間隔調節レバー（２８０）によって間隔を調節するように構成した調節ボックス（３５０）と、
前記左側顎支持部（２５０）及び右側顎支持部（２６０）の上部には左側顎支持パッド固定部（２９０）及び右側顎支持パッド固定部（３１０）が結合されて、顎支持パッド（５１０）を固定することができるように構成したことを特徴とする頚椎牽引用頭固定装置。
【請求項６】
前記左、右側顎支持パッド固定部（２９０）（３１０）は左側顎支持パッド固定部（２９０）と右側顎支持パッド固定部（３１０）とからなり、前記左側顎支持パッド固定部（２９０）は左側顎支持部（２５０）と回転軸（４６０）で軸結合されるように構成され、前記左側顎支持パッド固定部（２９０）にストップボルト（４２０）とナット（４４０）を装着して結合し、
前記右側顎支持パッド固定部（３１０）は右側顎支持部（２６０）と回転軸（３７０）で軸結合されるように構成され、前記右側顎支持パッド固定部（３１０）にストップボルト（４２０）とナット（４４０）を装着して結合し、前記ストップボルト（４２０）によってこれ以上回転されないように構成したことを特徴とする請求項５に記載の頚椎牽引用頭固定装置。
【請求項７】
前記左側顎支持パッド固定部（２９０）及び右側顎支持パッド固定部（３１０）は顎支持パッド（５１０）が左側顎支持パッド固定部（２９０）及び右側顎支持パッド固定部（３１０）に装着されるように、一側面には掛け紐（５２０）を構成し、他側面には調節紐（５３０）を構成し、調節後、付着することができるようにベルクロテープを構成し、前記のように構成して、掛け紐（５２０）を右側顎支持パッド固定部（３１０）が結合されることができるように、右側顎支持パッド固定部（３１０）の前方突起（３３０）と後方突起（３６０）との間の抜け防止溝（３４０）に挟んで結合して、ベルクロテープが形成された調節紐（５３０）は左側顎支持パッド固定部（２９０）に掛けて調節した後、調節紐（５３０）を付着して固定したことを特徴とする請求項５に記載の頚椎牽引用頭固定装置。
【請求項８】
前記左側顎支持パッド固定部（２９０）及び右側顎支持パッド固定部（３１０）はストップボルト（４２０）の位置を変更することができるように回転角度レール溝（４１０）を構成して、左側顎支持パッド固定部（２９０）及び右側顎支持パッド固定部（３１０）の回転角度を変更することができるように構成したことを特徴とする請求項５に記載の頚椎牽引用頭固定装置。
【発明の詳細な説明】
【技術分野】
【０００１】
本発明は物理治療機器用骨盤支持構造に関し、さらに詳しくは、物理治療の時、骨盤を楽で、且つ堅固に支持することができるようにし、また、取れたり下がることなく所定の牽引強度を維持することができるようにし、これを通じて、力の分散を防止し、牽引力を腰椎部位に集中させて、治療効果を極大化することができるようにし、頚椎の牽引を通じて、患者の矯正または治療を目的に用いられるもので、患者の頭部分を圧迫したり不完全性を与えない物理治療機器用骨盤支持構造及び頚椎牽引用頭固定装置に関する。
【背景技術】
【０００２】
一般に、物理治療機器はドロップ（drop）及び牽引（traction）を利用して人体の骨格系、関節系、筋肉系、神経系などで発生される病的状態の痛症を治療して矯正するもので、多様な種類の医療用物理治療機器が提供されている。
このような物理治療機器において、牽引を利用して人体の腰椎部位で発生される腰椎椎間板、脊柱管狭窄症、慢性腰痛、坐骨神経痛、腰椎変性神経疾患などの病的状態の痛症を治療して矯正するためには、腰椎を楽で、且つ堅固に支持させなければならない。
【０００３】
しかし、従来には、単純にベルトを利用して骨盤を支持していたため、構造的に物理治療の時骨盤を楽で、且つ堅固に支持させることができないという問題点があった。また、ベルトが取れたり下がって、所定の牽引強度を維持することができないという問題点があった。これにより力が分散され、牽引力を腰椎部位に集中させることができなくて、治療効果が充分でないという問題点があった。
【０００４】
一方、患者の矯正または治療を目的に頚椎（首）を牽引する医療機器または装置（自動、手動及び医療機器または器具など一体）は、その方法的な部分で、現在用いられる装置及び構造物は一般の方法でハネース（顎ベルト）を利用して、患者の顎を固定し、首を上へ上げて牽引治療をしたり、横になった状態で後頭骨（首の後ろ部分）にゴム材質のパッドを利用して、首の後ろを固定し、ヘアバンドで額を固定して牽引治療をしている実情である。
【０００５】
ところが、上記ハネースは、頚椎牽引の時、患者の顎部位が圧迫されて不便を感じ、治療効果も確実でないという問題点があった。
【０００６】
そして、従来の頭を固定するための装置は、ただ頭を固定して、頭が動けないように額部分を固定して圧迫するため、使用者及び患者に拒否感を与えたり、頭痛を発生するという問題点があった。
【発明の概要】
【発明が解決しようとする課題】
【０００７】
本発明の目的は、上述したような従来の問題点を解消するために発明したもので、腰椎部位の物理治療の時、骨盤をより楽で、且つ堅固に支持することができるようにし、また腰椎部位の物理治療の時、取れたり下がることなく所定の牽引強度を維持することができるようにし、これを通じて、腰椎部位の物理治療の時、力の分散を防止して、牽引力を腰椎部位に集中させて、治療効果を極大化することができるようにし、頚椎（首）を牽引する医療機器または装置物に用いられて、矯正や治療用に用いる時不便な問題点、及び頭部分が正確に固定されなくて、使用中に発生される副作用などの問題点を解決することができるようにした物理治療機器用骨盤支持構造及び頚椎牽引用頭固定装置を提供することにある。
【課題を解決するための手段】
【０００８】
上記目的を達するために、本発明の物理治療機器用骨盤支持構造は、フレームの上部に前後に移動可能に設置されるベッドプレートと、上記ベッドプレードの上部に付着されて、腰椎部位を支える骨盤ベッドとが備えられた物理治療機器において、上記ベッドプレートの前方両側にブラケットを左右に回転可能に軸でそれぞれ連結し、上記ブラケットの上部に骨盤を囲む湾曲状に形成された金属材の骨盤支持具を左右に回転可能に軸でそれぞれ連結し、上記骨盤支持具の内面に骨盤に密着される骨盤クッションをそれぞれ配置し、上記骨盤支持具と骨盤クッションの上部にワンタッチで着脱可能に結合される雌雄バックルをバンドでそれぞれ連結した。
【０００９】
上記目的を達するために、本発明の頚椎牽引用頭固定装置は、従来の方法である患者の首の後及び後頭骨をパッドで固定する方式は同じであるが、顎ベルト固定装置を頚椎パッド束と結合させることによって、牽引治療の時、牽引力をパッドと前方の顎ベルトなどに分散させることができ、これによって、従来の方法におけるある特定部位のみに力が集中される現象を最小化して、安定且つ楽に牽引治療が可能に固定することができるように構成した。
【００１０】
本発明の医療用頚椎牽引用頭固定装置は、医療用頚椎牽引用頭固定装置において、頭を固定したり牽引する際、頭を固定するための頭支持部は、治療を受ける人の頭を支えるように支持板と、頭を支えて、上部を開閉するように形成したり、開閉された上部を通じて首を支えて固定するための首固定部と、上記首固定部の外郭に顎を固定するために構成した左側顎支持部及び右側顎支持部と、上記左側顎支持部及び右側顎支持部を間隔調節スクリューに連結して、調節レバーによって間隔を調節するように構成した調節ボックスと、上記左右側顎支持部の上部に結合されて、顎支持パッドを固定することができる左右側顎支持パッド固定部とで構成して達成した。
【発明の効果】
【００１１】
本発明の物理治療機器用骨盤支持構造によれば、構造的に腰椎部位の物理治療の時、骨盤をより楽で、且つ堅固に支持することができ、また腰椎部位の物理治療の時、取れたり下がることなく２重に骨盤をより安定且つ効果的に支持するので、所定の牽引強度を維持することができ、また、これを通じて腰椎部位の物理治療の際、力の分散を防止して、牽引力を腰椎部位に集中させて、治療効果を極大化することができるという効果がある。
【００１２】
本発明の医療用頚椎牽引用頭固定装置によれば、矯正や治療などに用いられる医療用頚椎牽引装置に用いられて、頭を便利に固定し、使用者または患者に拒否感を与えないながら、安全に固定することができるという効果がある。
【図面の簡単な説明】
【００１３】
図１〜図６ａ、６ｂは本発明の骨盤支持構造を示す図面であり、図７〜図１０は本発明の頭固定装置を示した図面である。
【図１】本発明の設置状態を示す斜視図である。
【図２】本発明の斜視図である。
【図３】図２の「Ａ」部の拡大断面図である。
【図４】本発明の主要部分の斜視図である。
【図５】図４の分解斜視図である。
【図６ａ】本発明の作用を示す例示図である。
【図６ｂ】本発明の作用を示す例示図である。
【図７】本発明の好ましい実施例の医療機器における頚椎牽引用頭固定装置を示した斜視図である。
【図８】本発明の医療機器における頚椎牽引用頭固定装置に顎支持パッドを結合した斜視図である。
【図９】本発明の他の実施例の頭支持板を示した斜視図である。
【図１０】本発明を適用した使用状態図である。
【発明を実施するための形態】
【００１４】
以下添付された図面によって本発明の技術的構成を詳しく説明すれば次の通りである。
【００１５】
本発明の物理治療機器用骨盤支持構造は、図１〜図６ａ、６ｂに示したように、フレーム１の上部に前後に移動可能に設置されるベッドプレート２と、ベッドプレード２の上部に付着されて、腰椎部位を支える骨盤ベッド３とが備えられた物理治療機器において、上記ベッドプレート２の前方両側に左右に回転可能に軸Ｈ１でそれぞれ連結されるブラケット１０と、上記ブラケット１０の上部に左右に回転可能に軸Ｈ２でそれぞれ連結されて、骨盤を囲む湾曲状に形成された骨盤支持具２０と、上記骨盤支持具２０の内面にそれぞれ配置されて、骨盤に密着される骨盤クッション３０と、上記骨盤支持具２０と骨盤クッション３０の上部にバンド４１５１を通じてそれぞれ連結されて、ワンタッチで着脱可能に結合される雌雄バックル４０、５０とを含むことをその技術的構成の基本的特徴とする。
【００１６】
上記フレーム１は物理治療機器の本体を構成するもので、このようなフレーム１はベッドプレート２を前後に移動可能に支持する。
【００１７】
上記ベッドプレート２はフレーム１の上部に前後に移動可能に設置されるもので、このようなベッドプレート２は骨盤ベッド３を支持する。
【００１８】
上記骨盤ベッド３はベッドプレート２の上部に付着されて腰椎を支えるもので、このような骨盤ベッド３は牽引を利用して人体の腰椎部位で発生される病的状態の痛症を治療して矯正する。
【００１９】
ここで、本発明による物理治療機器用骨盤支持構造は、上述したように、大体ブラケット１０と、骨盤支持具２０と、骨盤クッション３０と、雌雄バックル４０、５０とを含む。
【００２０】
上記ブラケット１０はベッドプレート２の前方両側に左右に回転可能に軸Ｈ１でそれぞれ連結されるもので、このようなブラケット１０は骨盤支持具２０を回転可能に支持する。
【００２１】
本発明によれば、図２及び図３のように、上記ベッドプレート２の前方両側の下部には支持片２ａがそれぞれ具備され、上記ブラケット１０の下部には支持片２ａ側に延長される連結片１１が水平に折曲形成され、上記連結片１１の端部にはベッドプレート２の支持片２ａに左右に回転可能に軸Ｈ３で連結される補強片１２が垂直に折曲形成される。
【００２２】
上記骨盤支持具２０は両側ブラケット１０の上部に左右に回転可能に軸Ｈ２でそれぞれ連結されるもので、このような骨盤支持具２０は骨盤を楽で、且つ堅固に支持することができるように湾曲面に形成される。
【００２３】
本発明によれば、図４及び図５のように、上記骨盤支持具２０の中央部の一側には外部と連通する傾斜挿入孔２１ａを有する垂直長孔２１が備えられ、また、上記骨盤支持具２０の上部と下部には外部と連通する傾斜挿入孔２２ａ、２３ａを有する水平長孔２２、２３がそれぞれ形成される。この時、上記骨盤支持具２０の垂直長孔２１と水平長孔２３には骨盤クッション３０が連結され、上記骨盤支持具２０の水平長孔２２にはバンド４１が連結される。
【００２４】
また、本発明によれば、上記骨盤支持具２０は、物理治療の際、骨盤をより堅固に支持することができるように変形されないで、形状をそのまま保持する金属で構成される。
【００２５】
上記骨盤クッション３０は骨盤支持具２０の内面にそれぞれ配置されて、骨盤に密着されるもので、このような骨盤クッション３０は骨盤を楽に支持することができるようにクッション感を付与する。
【００２６】
本発明によれば、図４及び図５のように、上記骨盤クッション３０の外面中央部と下部には骨盤支持具２０の傾斜挿入孔２１ａ、２３ａを通じて垂直長孔２１及び水平長孔２３にそれぞれ挿入される連結部３１、３２がそれぞれ付着される。従って、このような本発明によれば、上記傾斜挿入孔２１ａ、２３ａを通じて垂直長孔２１及び水平長孔２３に連結部３１、３２をそれぞれ挿入して、骨盤支持具２０に骨盤クッション３０を簡便に結合することができ、逆に、傾斜挿入孔２１ａ、２３ａを通じて垂直長孔２１及び水平長孔２３に挿入された連結部３１、３２をそれぞれ抜き取れば、骨盤支持具２０と骨盤クッション３０とを互いに簡便に分離することができるので、必要時、骨盤クッション３０を容易に取り替えることができる。この時、上記連結部３１、３２は骨盤クッション３０の外面中央部と下部に縫製で付着される。
【００２７】
上記雌雄バックル４０は両側骨盤支持具２０の上部にバンド４１を通じてそれぞれ連結されるもので、このような雌雄バックル４０はワンタッチ方式で着脱可能に互いに結合される。
【００２８】
本発明によれば、図４及び図５のように、上記バンド４１の一端には骨盤支持具２０の傾斜挿入孔２２ａを通じて水平長孔２２にそれぞれ挿入される連結部４１ａが具備される。従って、このような本発明によれば、上記傾斜挿入孔２２ａを通じて水平長孔２２に連結部４１ａをそれぞれ挿入して骨盤支持具２０にバンド４１を簡便に結合することができ、逆に、傾斜挿入孔２２ａを通じて水平長孔２２に挿入された連結部４１ａを抜き取れば、骨盤支持具２０とバンド４１とを簡便に分離することができるので、必要時、バンド４１を容易に取り替えることができる。
【００２９】
上記雌雄バックル５０は両側骨盤クッション３０の上部にバンド５１を通じてそれぞれ連結されるもので、このような雌雄バックル５０はワンタッチ方式で着脱可能に互いに結合される。
【００３０】
本発明によれば、上記バンド５１の一端は骨盤クッション３０の外面に縫製で付着される。
【００３１】
このように構成された本発明の物理治療機器用骨盤支持構造は、物理治療の際、骨盤を囲んで支持する両側骨盤支持具２０が湾曲状の金属材で構成されているので、構造的に骨盤を堅固に支持することができ、また、両側骨盤支持具２０の内側に骨盤に密着されながらクッションを付与する骨盤クッション３０が配置されるので、構造的に骨盤を楽に囲みながら支持することができる。また、図６ｂのように、両側骨盤支持具２０で骨盤を囲んだ状態で骨盤支持具２０と骨盤クッション３０にそれぞれ連結された両側雌雄バックル４０、５０を締結すれば、骨盤を２重に安定的に支持するので、所定の牽引強度を維持することができる。
【００３２】
従って、このような本発明によれば、上述したように、金属材で構成された骨盤支持具２０とクッションを付与する骨盤クッション３０とが骨盤を囲んで支持するので、構造的に腰椎部位を物理治療する際、骨盤をより楽で、且つ堅固に支持することができるという長所がある。
【００３３】
また、本発明によれば、上述したように、骨盤支持具２０と骨盤クッション３０にそれぞれ連結された両側雌雄バックル４０、５０が骨盤を２重に安定的に囲んで楽で、且つ堅固に支持するので、構造的に腰椎部位の物理治療の際、取れたり下がることなく２重に骨盤をより安定且つ効果的に支持しながら、所定の牽引強度を維持することができるという長所があり、これを通じて、腰椎部位の物理治療の際、力の分散を防止して、牽引力を腰椎部位に集中させて、治療効果を極大化することができるという長所がある。
【００３４】
また、本発明によれば、上述したように、傾斜挿入孔２１ａ、２２ａ、２３ａを通じて垂直長孔２１及び水平長孔２２、２３に連結部３１、４１ａ、３２をそれぞれ挿入して骨盤支持具２０に骨盤クッション３０とバンド４１をそれぞれ結合することができ、逆に、傾斜挿入孔２１ａ、２２ａ、２３ａを通じて垂直長孔２１及び水平長孔２２、２３に挿入された連結部３１、４１ａ、３２をそれぞれ抜き取れば、骨盤支持具２０から骨盤クッション３０とバンド４１とを互いに簡単に分離することができるので、必要時、骨盤クッション３０とバンド４１を容易に取り替えることができるという長所がある。
【００３５】
以下では本発明の頚椎牽引用頭固定装置を添付された図面によって詳しく説明する。
【００３６】
本発明の好ましい実施例を添付された図面に基づいて具体的に説明する。
【００３７】
本明細書及び特許請求の範囲に用いられる用語や単語は通常的、辞書的な意味に限定して解釈してはならなく、発明者は自分の発明を最も最善の方法で説明するために用語の概念を適切に定義することができるという原則に即して、本発明の技術的思想に適合する意味及び概念に解釈すべきである。従って、本明細書に記載された実施例と図面に示された構成は、本発明の最も好ましい一実施例に過ぎず、本発明の技術的思想を代弁するものではないので、本出願時点において、これを代替することができる多様な均等物及び変形例（自動機械、手動機械または装置及び器具物の一体で、頚椎パッド束と顎ベルト固定装置（左側顎支持パッド固定部及び右側顎支持パッド固定部、左側顎支持部２５０及び右側顎支持部２６０の上部には顎支持パッド固定部が結合されて、顎支持パッド５１０）を本発明で類似するように変形して一体に結合して使うことができない。）があり得ることを理解すべきである。ここで、各図面に提示された同じ参照符号は同じ構成要素を表わす。
【００３８】
本発明の医療用頚椎牽引用頭固定装置は、図７〜図１０に示すように、両側にレール１１０が形成された支持板１００と、上記支持板１００の頭部分に設置された頭支持部２００と、上記支持板１００の上半身部分に設置された上半身支持部２４０と、上記支持板１００の下半身部分に設置された下半身支持部４００と、上記上半身支持部２４０と下半身支持部４００とを連結または分離するように形成された連結手段５００と、上記下半身支持部４００と連結された状態で押したり引くように形成された圧力手段６００とを含んで構成される。
【００３９】
上記支持板１００は、図７に示すように、両側にレール１１０が形成されている。上記支持板１００は所定高さに形成され、上部には各頭支持部２００、上半身支持部２４０、下半身支持部４００が載せられるように平らに形成され、内部には上記連結手段５００と圧力手段６００を設置するようにフレームが形成されている。
【００４０】
本発明が実現しようとする医療用頚椎牽引用頭固定装置の頭支持部２００は、図７〜図１０に示すように、治療を受ける人の頭を固定して支えるように、上記支持板１００の頭部分に形成される。この時、上記頭支持部２００は頭を支え、上部を開閉するように形成したり開閉された上部を通じて首を固定するための首固定部２３０で構成される。
【００４１】
上記頭支持部２００の表面には治療を受ける人が楽に横になるように、上部にマットを敷いた。
【００４２】
上記首固定部２３０は調節ボックス３５０の上部に左側支持板２１０と右側支持板２２０とで構成されて首を支えるようにした。上記左側支持板２１０及び右側支持板２２０は、間隔調節スクリュー２７０に結合されて構成し、上記間隔調節スクリュー２７０と連結された間隔調節レバー２８０を回転させて左右側方向に移動することができるようにした。
【００４３】
上記のように、体の条件によって間隔を調節することができるように間隔調節スクリュー２７０に左側支持板２１０及び右側支持板２２０が連結されて、間隔調節スクリュー２７０によって移動することができるようにした。
【００４４】
上記首固定部２３０の外郭には顎を固定するために構成した左側顎支持部２５０と右側顎支持部２６０を固定ボルト３００で調節ボックス３５０に固定して結合した。
【００４５】
上記左側顎支持部２５０及び右側顎支持部２６０の上部には顎支持パッド固定部が結合されて、顎支持パッド５１０を固定することができるようにした。
【００４６】
顎支持パッド固定部は左側顎支持パッド固定部２９０と右側顎支持パッド固定部３１０に結合され、上記左側顎支持パッド固定部２９０は左側顎支持部２５０と回転軸４６０で軸結合されるように構成され、上記左側顎支持パッド固定部２９０には貫通孔を形成し、上記貫通孔にストップボルト４２０とナット４４０を装着して結合した。
【００４７】
次に、右側顎支持パッド固定部３１０は右側顎支持部２６０と回転軸３７０で軸結合されるように構成され、上記右側顎支持パッド固定部３１０には貫通孔を形成し、上記貫通孔にストップボルト４２０とナット４４０を装着して結合した。
【００４８】
上記のように、左側顎支持部２５０及び右側顎支持部２６０に結合されて回転可能であり、顎支持パッド５１０を固定するために立てられるように左側顎支持部２５０及び右側顎支持部２６０の上部面には係止突起４５０を形成して、左側顎支持パッド固定部２９０及び右側顎支持パッド固定部３１０のストップボルト４２０が安着されて、これ以上回転されないように構成した。
【００４９】
顎支持パッド５１０は、左側顎支持パッド固定部２９０及び右側顎支持パッド固定部３１０に装着されるように、一側面には掛け紐５２０を構成し、他側面には調節紐５３０を構成して、調節後付着することができるようにベルクロテープを装着して結合した。
【００５０】
上記のように構成して掛け紐５２０を右側顎支持パッド固定部３１０の前方突起３３０と後方突起３６０との間の抜け防止溝３４０に挟んで結合し、ベルクロテープで構成された調節紐５３０は左側顎支持パッド固定部２９０の突起３２０に掛けて調節した後、調節紐５３０を付着して固定した。
【００５１】
本発明の図１０に示した他の実施例は、左側顎支持パッド固定部２９０及び右側顎支持パッド固定部３１０の回転角度を調節することができるように、回転角度レール溝４１０を構成した。  
左側顎支持パッド固定部２９０及び右側顎支持パッド固定部３１０のストップボルト４２０の位置を変更することができるように回転角度レール溝４１０を構成して、左側顎支持パッド固定部２９０及び右側顎支持パッド固定部３１０の回転角度を変更することができるように構成した。
【００５２】
回転角度レール溝４１０にストップボルト４２０が装着されて左側顎支持パッド固定部２９０及び右側顎支持パッド固定部３１０がこれ以上回転されないように構成した。
【００５３】
上記回転角度レール溝４１０に装着する時押されたり移動されないようにストップボルト４２０にストップワッシャー及び特殊ナットを構成することが好ましい。
【００５４】
本発明は頭を堅固に固定するために、首の左側支持板及び右側支持板を構成し、上部には顎を固定することができるように左側顎支持パッド固定部及び右側顎支持パッド固定部を構成した。また、上記左側顎支持パッド固定部及び右側顎支持パッド固定部は顎支持パッドを結合して顎が前へ出ないように構成した特徴がある。
【符号の説明】
【００５５】
１：フレーム
２：ベッドプレート
２ａ：支持片
３：骨盤ベッド
１０：ブラケット
１１：連結片
１２：補強片
２０：骨盤支持具
２１：垂直長孔
２２、２３：水平長孔
２１ａ、２２ａ、２３ａ：傾斜挿入孔
３０：骨盤クッション
３１、３２：連結部
４０、５０：バックル
４１、５１：バンド
４１ａ：連結部
Ｈ１、Ｈ２、Ｈ３：軸
１００：支持板
１１０：レール
２００：頭支持部
２１０、２２０：左側支持板及び右側支持板
２３０：首固定部
２４０：上半身支持部
２５０、２６０：左側顎支持部及び右側顎支持部
２７０：間隔調節スクリュー
２８０：間隔調節レバー
２９０：左側顎支持パッド固定部
３００：固定ボルト
３１０：右側顎支持パッド固定部
３２０：突起
３３０：前方突起
３４０：抜け防止溝
３５０：調節ボックス
３６０：後方突起
４００：下半身支持部
４１０：回転角レール溝
４２０：ストップボルト
４４０：ナット
４５０：係止突起
４６０：回転軸
【図１】
2013529495.tif 000003
【図２】
2013529495.tif 000004
【図３】
2013529495.tif 000005
【図４】
2013529495.tif 000006
【図５】
2013529495.tif 000007
【図６ａ】
2013529495.tif 000008
【図６ｂ】
2013529495.tif 000009
【図７】
2013529495.tif 000010
【図８】
2013529495.tif 000011
【図９】
2013529495.tif 000012
【図１０】
2013529495.tif 000013
【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
フレーム（１）の上部に前後に移動可能に設置されるベッドプレート（２）と、ベッドプレード（２）の上部に付着して、腰椎部位を支える骨盤ベッド（３）とが備えられた物理治療機器において、
前記ベッドプレート（２）の前方両側に左右に回転可能に軸（Ｈ１）でそれぞれ連結されるブラケット（１０）と、
前記ブラケット（１０）の上部に左右に回転可能に軸（Ｈ２）でそれぞれ連結されて骨盤を囲む湾曲状に形成された骨盤支持具（２０）と、
前記骨盤支持具（２０）の内面にそれぞれ配置されて骨盤に密着される骨盤クッション（３０）と、
前記骨盤支持具（２０）と骨盤クッション（３０）の上部にバンド（４１）（５１）を通じてそれぞれ連結されて、ワンタッチで着脱可能に結合される雌雄バックル（４０）（５０）とを含む物理治療機器の腰椎牽引用骨盤固定装置。
【請求項２】
前記ベッドプレート（２）の前方両側下部には支持片（２ａ）がそれぞれ備えられ、前記ブラケット（１０）の下部には支持片（２ａ）側に延長される連結片（１１）が水平に折曲形成され、前記連結片（１１）の端部にはベッドプレート（２）の支持片（２ａ）に左右に回転可能に軸（Ｈ３）で連結される補強片（１２）が垂直に折曲形成されることを特徴とする請求項１に記載の物理治療機器の腰椎牽引用骨盤固定装置。
【請求項３】
前記骨盤支持具（２０）の中央部の一側には外部と連通する傾斜挿入孔（２１ａ）を有する垂直長孔（２１）が備えられ、前記骨盤支持具（２０）の上部と下部には外部と連通する傾斜挿入孔（２２ａ）（２３ａ）を有する水平長孔（２２）（２３）がそれぞれ形成され、前記骨盤クッション（３０）の外面中央部と下部には傾斜挿入孔（２１ａ）（２３ａ）を通じて垂直長孔（２１）及び水平長孔（２３）にそれぞれ挿入される連結部（３１）（３２）がそれぞれ付着され、前記バンド（４１）の一端には傾斜挿入孔（２２ａ）を通じて水平長孔（２２）に挿入される連結部（４１ａ）が備えられ、前記バンド（５１）の一端は骨盤クッション（３０）の外面に縫製で付着されることを特徴とする請求項１に記載の物理治療機器の腰椎牽引用骨盤固定装置。
【請求項４】
前記骨盤支持具（２０）は金属で構成されることを特徴とする請求項１に記載の物理治療機器の腰椎牽引用骨盤固定装置。
【請求項５】
頚椎牽引用頭固定装置において、
頭を固定及び引く時、固定するための頭支持部（２００）は、治療を受ける人の頭を支えるように支持板（１００）と、
頭を支えて上部を開閉するように形成したり開閉された上部を通じて首を支えて固定するための首固定部（２３０）と、
前記首固定部（２３０）の外郭に顎を固定するために構成した左側顎支持部（２５０）及び右側顎支持部（２６０）と、
前記左側顎支持部（２５０）及び右側顎支持部（２６０）を間隔調節スクリュー（２７０）に連結して、間隔調節レバー（２８０）によって間隔を調節するように構成した調節ボックス（３５０）と、
前記左側顎支持部（２５０）及び右側顎支持部（２６０）の上部には左側顎支持パッド固定部（２９０）及び右側顎支持パッド固定部（３１０）が結合されて、顎支持パッド（５１０）を固定することができるように構成したことを特徴とする頚椎牽引用頭固定装置。
【請求項６】
前記左、右側顎支持パッド固定部（２９０）（３１０）は左側顎支持パッド固定部（２９０）と右側顎支持パッド固定部（３１０）とからなり、前記左側顎支持パッド固定部（２９０）は左側顎支持部（２５０）と回転軸（４６０）で軸結合されるように構成され、前記左側顎支持パッド固定部（２９０）にストップボルト（４２０）とナット（４４０）を装着して結合し、
前記右側顎支持パッド固定部（３１０）は右側顎支持部（２６０）と回転軸（３７０）で軸結合されるように構成され、前記右側顎支持パッド固定部（３１０）にストップボルト（４２０）とナット（４４０）を装着して結合し、前記ストップボルト（４２０）によってこれ以上回転されないように構成したことを特徴とする請求項５に記載の頚椎牽引用頭固定装置。
【請求項７】
前記左側顎支持パッド固定部（２９０）及び右側顎支持パッド固定部（３１０）は顎支持パッド（５１０）が左側顎支持パッド固定部（２９０）及び右側顎支持パッド固定部（３１０）に装着されるように、一側面には掛け紐（５２０）を構成し、他側面には調節紐（５３０）を構成し、調節後、付着することができるようにベルクロテープを構成し、前記のように構成して、掛け紐（５２０）を右側顎支持パッド固定部（３１０）が結合されることができるように、右側顎支持パッド固定部（３１０）の前方突起（３３０）と後方突起（３６０）との間の抜け防止溝（３４０）に挟んで結合して、ベルクロテープが形成された調節紐（５３０）は左側顎支持パッド固定部（２９０）に掛けて調節した後、調節紐（５３０）を付着して固定したことを特徴とする請求項５に記載の頚椎牽引用頭固定装置。
【請求項８】
前記左側顎支持パッド固定部（２９０）及び右側顎支持パッド固定部（３１０）はストップボルト（４２０）の位置を変更することができるように回転角度レール溝（４１０）を構成して、左側顎支持パッド固定部（２９０）及び右側顎支持パッド固定部（３１０）の回転角度を変更することができるように構成したことを特徴とする請求項５に記載の頚椎牽引用頭固定装置。
【手続補正２】
【補正対象書類名】明細書
【補正対象項目名】全文
【補正方法】変更
【補正の内容】
【発明の詳細な説明】
【技術分野】
【０００１】
本発明は物理治療機器の腰椎牽引用骨盤固定装置及び頚椎牽引用頭固定装置に関し、さらに詳しくは、腰椎牽引治療の時、骨盤を楽で、且つ堅固に支持することができるようにし、また、取れたり下がることなく所定の牽引強度を維持することができるようにし、これを通じて、力の分散を防止し、牽引力を腰椎部位に集中させて、治療効果を極大化することができるようにし、頚椎の牽引を通じて、患者の矯正または治療を目的に用いられるもので、患者の頭部分を圧迫したり不完全性を与えない物理治療機器の腰椎牽引用骨盤固定装置及び頚椎牽引用頭固定装置に関する。
【背景技術】
【０００２】
一般に、物理治療機器はドロップ（drop）及び牽引（traction）を利用して人体の骨格系、関節系、筋肉系、神経系などで発生する病的状態の痛みを治療して矯正するもので、多様な種類の医療用物理治療機器が提供されている。
このような物理治療機器において、牽引を利用して人体の腰椎部位で発生する腰椎椎間板、脊柱管狭窄症、慢性腰痛、坐骨神経痛、腰椎変性神経疾患などの病的状態の痛みを治療して矯正するためには、腰椎を楽で、且つ堅固に支持させなければならない。
【０００３】
しかし、従来には、単純にベルトを利用して骨盤を支持していたため、構造的に物理治療の時骨盤を楽で、且つ堅固に支持させることができないという問題点があった。また、ベルトが取れたり下がって、所定の牽引強度を維持することができないという問題点があった。これにより力が分散され、牽引力を腰椎部位に集中させることができなくて、治療効果が充分でないという問題点があった。
【０００４】
一方、患者の矯正または治療を目的に頚椎（首）を牽引する医療機器または装置（自動、手動及び医療機器または器具など一体）は、その方法的な部分で、現在用いられる装置及び構造物は一般の方法でハネース（顎ベルト）を利用して、患者の顎を固定し、首を上へ上げて牽引治療をしたり、横になった状態で後頭骨（首の後ろ部分）にゴム材質のパッドを利用して、首の後ろを固定し、ヘアバンドで額を固定して牽引治療をしている実情である。
【０００５】
ところが、上記ハネースは、頚椎牽引の時、患者の顎部位が圧迫されて不便を感じ、治療効果も確実でないという問題点があった。
【０００６】
そして、従来の頭を固定するための装置は、ただ頭を固定して、頭が動けないように額部分を固定して圧迫するため、使用者及び患者に拒否感を与えたり、頭痛を発生するという問題点があった。
【発明の開示】
【発明が解決しようとする課題】
【０００７】
本発明の目的は、上述したような従来の問題点を解消するために発明したもので、腰椎部位の牽引治療の時、骨盤をより楽で、且つ堅固に支持することができるようにし、また腰椎部位の牽引治療の時、取れたり下がることなく所定の牽引強度を維持することができるようにし、これを通じて、腰椎部位の牽引治療の時、力の分散を防止して、牽引力を腰椎部位に集中させて、治療効果を極大化することができるようにし、頚椎（首）を牽引する医療機器または装置物に用いられて、矯正や治療用に用いる時不便な問題点、及び頭部分が正確に固定されなくて、使用中に発生する副作用などの問題点を解決することができるようにした物理治療機器の腰椎牽引用骨盤固定装置及び頚椎牽引用頭固定装置を提供することにある。
【課題を解決するための手段】
【０００８】
上記目的を達成するために、本発明の物理治療機器の腰椎牽引用骨盤固定装置は、フレームの上部に前後に移動可能に設置されるベッドプレートと、上記ベッドプレードの上部に付着されて、腰椎部位を支える骨盤ベッドとが備えられた物理治療機器において、上記ベッドプレートの前方両側にブラケットを左右に回転可能に軸でそれぞれ連結し、上記ブラケットの上部に骨盤を囲む湾曲状に形成された金属材の骨盤支持具を左右に回転可能に軸でそれぞれ連結し、上記骨盤支持具の内面に骨盤に密着される骨盤クッションをそれぞれ配置し、上記骨盤支持具と骨盤クッションの上部にワンタッチで着脱可能に結合される雌雄バックルをバンドでそれぞれ連結した。
【０００９】
上記目的を達成するために、本発明の頚椎牽引用頭固定装置は、従来の方法である患者の首の後及び後頭骨をパッドで固定する方式は同じであるが、顎ベルト固定装置を頚椎パッド束と結合させることによって、牽引治療の時、牽引力をパッドと前方の顎ベルトなどに分散させることができ、これによって、従来の方法におけるある特定部位のみに力が集中される現象を最小化して、安定且つ楽に牽引治療が可能に固定することができるように構成した。
【００１０】
本発明の医療用頚椎牽引用頭固定装置は、医療用頚椎牽引用頭固定装置において、頭を固定したり牽引する際、頭を固定するための頭支持部は、治療を受ける人の頭を支えるための支持板と、頭を支えて、上部を開閉するように形成したり、開閉された上部を通じて首を支えて固定するための首固定部と、上記首固定部の外郭に顎を固定するために構成した左側顎支持部及び右側顎支持部と、上記左側顎支持部及び右側顎支持部を間隔調節スクリューに連結して、調節レバーによって間隔を調節するように構成した調節ボックスと、上記左右側顎支持部の上部に結合されて、顎支持パッドを固定することができる左右側顎支持パッド固定部とで構成して達成した。
【発明の効果】
【００１１】
本発明の物理治療機器の腰椎牽引用骨盤固定装置によれば、構造的に腰椎部位の牽引治療の時、骨盤をより楽で、且つ堅固に支持することができ、また腰椎部位の牽引治療の時、取れたり下がることなく２重に骨盤をより安定且つ効果的に支持するので、所定の牽引強度を維持することができ、また、これを通じて腰椎部位の牽引治療の際、力の分散を防止して、牽引力を腰椎部位に集中させて、治療効果を極大化することができるという効果がある。
【００１２】
本発明の医療用頚椎牽引用頭固定装置によれば、矯正や治療などに用いられる医療用頚椎牽引装置に用いられて、頭を便利に固定し、使用者または患者に拒否感を与えないながら、安全に固定することができるという効果がある。
【図面の簡単な説明】
【００１３】
図１〜図６ａ、６ｂは本発明の腰椎牽引用骨盤固定装置を示す図面であり、図７〜図１０は本発明の頭固定装置を示した図面である。
【図１】本発明の設置状態を示す斜視図である。
【図２】本発明の斜視図である。
【図３】図２の「Ａ」部の拡大断面図である。
【図４】本発明の主要部分の斜視図である。
【図５】図４の分解斜視図である。
【図６ａ】本発明の作用を示す例示図である。
【図６ｂ】本発明の作用を示す例示図である。
【図７】本発明の好ましい実施例の医療機器における頚椎牽引用頭固定装置を示した斜視図である。
【図８】本発明の医療機器における頚椎牽引用頭固定装置に顎支持パッドを結合した斜視図である。
【図９】本発明の他の実施例の頭支持板を示した斜視図である。
【図１０】本発明を適用した使用状態図である。
【発明を実施するための形態】
【００１４】
以下添付された図面によって本発明の技術的構成を詳しく説明すれば次の通りである。
【００１５】
本発明の物理治療機器の腰椎牽引用骨盤固定装置は、図１〜図６ａ、６ｂに示したように、フレーム１の上部に前後に移動可能に設置されるベッドプレート２と、ベッドプレード２の上部に付着されて、腰椎部位を支える骨盤ベッド３とが備えられた牽引治療機器において、上記ベッドプレート２の前方両側に左右に回転可能に軸Ｈ１でそれぞれ連結されるブラケット１０と、上記ブラケット１０の上部に左右に回転可能に軸Ｈ２でそれぞれ連結されて、骨盤を囲む湾曲状に形成された骨盤支持具２０と、上記骨盤支持具２０の内面にそれぞれ配置されて、骨盤に密着される骨盤クッション３０と、上記骨盤支持具２０と骨盤クッション３０の上部にバンド４１、５１を通じてそれぞれ連結されて、ワンタッチで着脱可能に結合される雌雄バックル４０、５０とを含むことをその技術的構成の基本的特徴とする。
【００１６】
上記フレーム１は牽引治療機器の本体を構成するもので、このようなフレーム１はベッドプレート２を前後に移動可能に支持する。
【００１７】
上記ベッドプレート２はフレーム１の上部に前後に移動可能に設置されるもので、このようなベッドプレート２は骨盤ベッド３を支持する。
【００１８】
上記骨盤ベッド３はベッドプレート２の上部に付着されて腰椎を支えるもので、このような骨盤ベッド３は牽引を利用して人体の腰椎部位で発生する病的状態の痛みを治療して矯正する。
【００１９】
ここで、本発明による物理治療機器の腰椎牽引用骨盤固定装置は、上述したように、ブラケット１０と、骨盤支持具２０と、骨盤クッション３０と、雌雄バックル４０、５０とを含む。
【００２０】
上記ブラケット１０はベッドプレート２の前方両側に左右に回転可能に軸Ｈ１でそれぞれ連結されるもので、このようなブラケット１０は骨盤支持具２０を回転可能に支持する。
【００２１】
本発明によれば、図２及び図３のように、上記ベッドプレート２の前方両側の下部には支持片２ａがそれぞれ具備され、上記ブラケット１０の下部には支持片２ａ側に延長される連結片１１が水平に折曲形成され、上記連結片１１の端部にはベッドプレート２の支持片２ａに左右に回転可能に軸Ｈ３で連結される補強片１２が垂直に折曲形成される。
【００２２】
上記骨盤支持具２０は両側ブラケット１０の上部に左右に回転可能に軸Ｈ２でそれぞれ連結されるもので、このような骨盤支持具２０は骨盤を楽で、且つ堅固に支持することができるように湾曲面に形成される。
【００２３】
本発明によれば、図４及び図５のように、上記骨盤支持具２０の中央部の一側には外部と連通する傾斜挿入孔２１ａを有する垂直長孔２１が備えられ、また、上記骨盤支持具２０の上部と下部には外部と連通する傾斜挿入孔２２ａ、２３ａを有する水平長孔２２、２３がそれぞれ形成される。この時、上記骨盤支持具２０の垂直長孔２１と水平長孔２３には骨盤クッション３０が連結され、上記骨盤支持具２０の水平長孔２２にはバンド４１が連結される。
【００２４】
また、本発明によれば、上記骨盤支持具２０は、牽引治療の際、骨盤をより堅固に支持することができるように変形されないで、形状をそのまま保持する金属で構成される。
【００２５】
上記骨盤クッション３０は骨盤支持具２０の内面にそれぞれ配置されて、骨盤に密着されるもので、このような骨盤クッション３０は骨盤を楽に支持することができるようにクッション感を付与する。
【００２６】
本発明によれば、図４及び図５のように、上記骨盤クッション３０の外面中央部と下部には骨盤支持具２０の傾斜挿入孔２１ａ、２３ａを通じて垂直長孔２１及び水平長孔２３にそれぞれ挿入される連結部３１、３２がそれぞれ付着される。従って、このような本発明によれば、上記傾斜挿入孔２１ａ、２３ａを通じて垂直長孔２１及び水平長孔２３に連結部３１、３２をそれぞれ挿入して、骨盤支持具２０に骨盤クッション３０を簡便に結合することができ、逆に、傾斜挿入孔２１ａ、２３ａを通じて垂直長孔２１及び水平長孔２３に挿入された連結部３１、３２をそれぞれ抜き取れば、骨盤支持具２０と骨盤クッション３０とを互いに簡便に分離することができるので、必要時、骨盤クッション３０を容易に取り替えることができる。この時、上記連結部３１、３２は骨盤クッション３０の外面中央部と下部に縫製で付着される。
【００２７】
上記雌雄バックル４０は両側骨盤支持具２０の上部にバンド４１を通じてそれぞれ連結されるもので、このような雌雄バックル４０はワンタッチ方式で着脱可能に互いに結合される。
【００２８】
本発明によれば、図４及び図５のように、上記バンド４１の一端には骨盤支持具２０の傾斜挿入孔２２ａを通じて水平長孔２２にそれぞれ挿入される連結部４１ａが具備される。従って、このような本発明によれば、上記傾斜挿入孔２２ａを通じて水平長孔２２に連結部４１ａをそれぞれ挿入して骨盤支持具２０にバンド４１を簡便に結合することができ、逆に、傾斜挿入孔２２ａを通じて水平長孔２２に挿入された連結部４１ａを抜き取れば、骨盤支持具２０とバンド４１とを簡便に分離することができるので、必要時、バンド４１を容易に取り替えることができる。
【００２９】
上記雌雄バックル５０は両側骨盤クッション３０の上部にバンド５１を通じてそれぞれ連結されるもので、このような雌雄バックル５０はワンタッチ方式で着脱可能に互いに結合される。
【００３０】
本発明によれば、上記バンド５１の一端は骨盤クッション３０の外面に縫製で付着される。
【００３１】
このように構成された本発明の物理治療機器の腰椎牽引用骨盤固定装置は、物理治療の際、骨盤を囲んで支持する両側骨盤支持具２０が湾曲状の金属材で構成されているので、構造的に骨盤を堅固に支持することができ、また、両側骨盤支持具２０の内側に骨盤に密着されながらクッションを付与する骨盤クッション３０が配置されるので、構造的に骨盤を楽に囲みながら支持することができる。また、図６ｂのように、両側骨盤支持具２０で骨盤を囲んだ状態で骨盤支持具２０と骨盤クッション３０にそれぞれ連結された両側雌雄バックル４０、５０を締結すれば、骨盤を２重に安定的に支持するので、所定の牽引強度を維持することができる。
【００３２】
従って、このような本発明によれば、上述したように、金属材で構成された骨盤支持具２０とクッションを付与する骨盤クッション３０とが骨盤を囲んで支持するので、構造的に腰椎部位を物理治療する際、骨盤をより楽で、且つ堅固に支持することができるという長所がある。
【００３３】
また、本発明によれば、上述したように、骨盤支持具２０と骨盤クッション３０にそれぞれ連結された両側雌雄バックル４０、５０が骨盤を２重に安定的に囲んで楽で、且つ堅固に支持するので、構造的に腰椎部位の牽引治療の際、取れたり下がることなく２重に骨盤をより安定且つ効果的に支持しながら、所定の牽引強度を維持することができるという長所があり、これを通じて、腰椎部位の牽引治療の際、力の分散を防止して、牽引力を腰椎部位に集中させて、治療効果を極大化することができるという長所がある。
【００３４】
また、本発明によれば、上述したように、傾斜挿入孔２１ａ、２２ａ、２３ａを通じて垂直長孔２１及び水平長孔２２、２３に連結部３１、４１ａ、３２をそれぞれ挿入して骨盤支持具２０に骨盤クッション３０とバンド４１をそれぞれ結合することができ、逆に、傾斜挿入孔２１ａ、２２ａ、２３ａを通じて垂直長孔２１及び水平長孔２２、２３に挿入された連結部３１、４１ａ、３２をそれぞれ抜き取れば、骨盤支持具２０から骨盤クッション３０とバンド４１とを互いに簡単に分離することができるので、必要時、骨盤クッション３０とバンド４１を容易に取り替えることができるという長所がある。
【００３５】
以下では本発明の頚椎牽引用頭固定装置を添付された図面によって詳しく説明する。
【００３６】
本発明の好ましい実施例を添付された図面に基づいて具体的に説明する。
【００３７】
本明細書及び特許請求の範囲に用いられる用語や単語は通常的、辞書的な意味に限定して解釈してはならなく、発明者は自分の発明を最も最善の方法で説明するために用語の概念を適切に定義することができるという原則に即して、本発明の技術的思想に適合する意味及び概念に解釈すべきである。従って、本明細書に記載された実施例と図面に示された構成は、本発明の最も好ましい一実施例に過ぎず、本発明の技術的思想を代弁するものではないので、本出願時点において、これを代替することができる多様な均等物及び変形例（自動機械、手動機械または装置及び器具物の一体で、頚椎パッド束と顎ベルト固定装置（左側顎支持パッド固定部及び右側顎支持パッド固定部、左側顎支持部２５０及び右側顎支持部２６０の上部には顎支持パッド固定部が結合されて、顎支持パッド５１０）を本発明で類似するように変形して一体に結合して使うことができない。）があり得ることを理解すべきである。ここで、各図面に提示された同じ参照符号は同じ構成要素を表わす。
【００３８】
本発明の医療用頚椎牽引用頭固定装置は、図７〜図１０に示すように、両側にレール１１０が形成された支持板１００と、上記支持板１００の頭部分に設置された頭支持部２００と、上記支持板１００の上半身部分に設置された上半身支持部２４０と、上記支持板１００の下半身部分に設置された下半身支持部４００と、上記上半身支持部２４０と下半身支持部４００とを連結または分離するように形成された連結手段５００と、上記下半身支持部４００と連結された状態で押したり引くように形成された圧力手段６００とを含んで構成される。
【００３９】
上記支持板１００は、図７に示すように、両側にレール１１０が形成されている。上記支持板１００は所定高さに形成され、上部には各頭支持部２００、上半身支持部２４０、下半身支持部４００が載せられるように平らに形成され、内部には上記連結手段５００と圧力手段６００を設置するようにフレームが形成されている。
【００４０】
本発明が実現しようとする医療用頚椎牽引用頭固定装置の頭支持部２００は、図７〜図１０に示すように、治療を受ける人の頭を固定して支えるように、上記支持板１００の頭部分に形成される。この時、上記頭支持部２００は頭を支え、上部を開閉するように形成したり開閉された上部を通じて首を固定するための首固定部２３０で構成される。
【００４１】
上記頭支持部２００の表面には治療を受ける人が楽に横になるように、上部にマットを敷いた。
【００４２】
上記首固定部２３０は調節ボックス３５０の上部に左側支持板２１０と右側支持板２２０とで構成されて首を支えるようにした。上記左側支持板２１０及び右側支持板２２０は、間隔調節スクリュー２７０に結合されて構成し、上記間隔調節スクリュー２７０と連結された間隔調節レバー２８０を回転させて左右側方向に移動することができるようにした。
【００４３】
上記のように、体の条件によって間隔を調節することができるように間隔調節スクリュー２７０に左側支持板２１０及び右側支持板２２０が連結されて、間隔調節スクリュー２７０によって移動することができるようにした。
【００４４】
上記首固定部２３０の外郭には顎を固定するために構成した左側顎支持部２５０と右側顎支持部２６０を固定ボルト３００で調節ボックス３５０に固定して結合した。
【００４５】
上記左側顎支持部２５０及び右側顎支持部２６０の上部には顎支持パッド固定部が結合されて、顎支持パッド５１０を固定することができるようにした。
【００４６】
顎支持パッド固定部は左側顎支持パッド固定部２９０と右側顎支持パッド固定部３１０に結合され、上記左側顎支持パッド固定部２９０は左側顎支持部２５０と回転軸４６０で軸結合されるように構成され、上記左側顎支持パッド固定部２９０には貫通孔を形成し、上記貫通孔にストップボルト４２０とナット４４０を装着して結合した。
【００４７】
次に、右側顎支持パッド固定部３１０は右側顎支持部２６０と回転軸３７０で軸結合されるように構成され、上記右側顎支持パッド固定部３１０には貫通孔を形成し、上記貫通孔にストップボルト４２０とナット４４０を装着して結合した。
【００４８】
上記のように、左側顎支持部２５０及び右側顎支持部２６０に結合されて回転可能であり、顎支持パッド５１０を固定するために立てられるように左側顎支持部２５０及び右側顎支持部２６０の上部面には係止突起４５０を形成して、左側顎支持パッド固定部２９０及び右側顎支持パッド固定部３１０のストップボルト４２０が安着されて、これ以上回転されないように構成した。
【００４９】
顎支持パッド５１０は、左側顎支持パッド固定部２９０及び右側顎支持パッド固定部３１０に装着されるように、一側面には掛け紐５２０を構成し、他側面には調節紐５３０を構成して、調節後付着することができるようにベルクロテープを装着して結合した。
【００５０】
上記のように構成して掛け紐５２０を右側顎支持パッド固定部３１０の前方突起３３０と後方突起３６０との間の抜け防止溝３４０に挟んで結合し、ベルクロテープで構成された調節紐５３０は左側顎支持パッド固定部２９０の突起３２０に掛けて調節した後、調節紐５３０を付着して固定した。
【００５１】
本発明の図１０に示した他の実施例は、左側顎支持パッド固定部２９０及び右側顎支持パッド固定部３１０の回転角度を調節することができるように、回転角度レール溝４１０を構成した。
【００５２】
左側顎支持パッド固定部２９０及び右側顎支持パッド固定部３１０のストップボルト４２０の位置を変更することができるように回転角度レール溝４１０を構成して、左側顎支持パッド固定部２９０及び右側顎支持パッド固定部３１０の回転角度を変更することができるように構成した。
【００５３】
回転角度レール溝４１０にストップボルト４２０が装着されて左側顎支持パッド固定部２９０及び右側顎支持パッド固定部３１０がこれ以上回転されないように構成した。
【００５４】
上記回転角度レール溝４１０に装着する時、押されたり移動されないようにストップボルト４２０にストップワッシャー及び特殊ナットを構成することが好ましい。
【００５５】
本発明は頭を堅固に固定するために、首の左側支持板及び右側支持板を構成し、上部には顎を固定することができるように左側顎支持パッド固定部及び右側顎支持パッド固定部を構成した。また、上記左側顎支持パッド固定部及び右側顎支持パッド固定部は顎支持パッドを結合して顎が前へ出ないように構成した特徴がある。
【符号の説明】
【００５６】
１：フレーム
２：ベッドプレート
２ａ：支持片
３：骨盤ベッド
１０：ブラケット
１１：連結片
１２：補強片
２０：骨盤支持具
２１：垂直長孔
２２、２３：水平長孔
２１ａ、２２ａ、２３ａ：傾斜挿入孔
３０：骨盤クッション
３１、３２：連結部
４０、５０：バックル
４１、５１：バンド
４１ａ：連結部
Ｈ１、Ｈ２、Ｈ３：軸
１００：支持板
１１０：レール
２００：頭支持部
２１０、２２０：左側支持板及び右側支持板
２３０：首固定部
２４０：上半身支持部
２５０、２６０：左側顎支持部及び右側顎支持部
２７０：間隔調節スクリュー
２８０：間隔調節レバー
２９０：左側顎支持パッド固定部
３００：固定ボルト
３１０：右側顎支持パッド固定部
３２０：突起
３３０：前方突起
３４０：抜け防止溝
３５０：調節ボックス
３６０：後方突起
４００：下半身支持部
４１０：回転角レール溝
４２０：ストップボルト
４４０：ナット
４５０：係止突起
４６０：回転軸
【国際調査報告】
2013529495.tif 000014
2013529495.tif 000015
2013529495.tif 000016
2013529495.tif 000017